(57)【要約】【課題】ユーザの健診結果を電子情報として管理・保管し、生命保険会社が直接取得して活用することができる健診結果ダウンロードシステムを提供する。【解決手段】健診結果ダウンロードシステム５００は、ユーザの健診結果を格納する健康診断情報データサーバ２００と、健診結果を取得する生命保険用端末３００と、を備える。健康診断情報データサーバ２００は、生命保険用端末３００から、ユーザの健診結果の取得要求を受け付ける健診結果要求受付部２１１と、健診結果の取得要求に対し、ダウンロード可能に設定する設定許可部２１３と、を備える。生命保険用端末３００は、健康診断情報データサーバ２００に、ユーザの健診結果の取得要求を送信する健診結果要求部３１１と、健康診断情報データサーバ２００から、そのユーザの健診結果を、ダウンロードにより取得する健診結果取得部３１３と、を備える。【選択図】  図２
2019046097.tif 000002
【特許請求の範囲】
【請求項１】
ユーザの健診結果を格納する健康診断情報データサーバと、健診結果を取得する生命保険用端末と、を備える健診結果ダウンロードシステムであって、
前記健康診断情報データサーバは、
ネットワークを介して前記生命保険用端末から、ユーザの健診結果の取得要求を受け付ける健診結果要求受付部と、
前記健診結果の取得要求に対し、格納する前記ユーザの健診結果をダウンロード可能に設定する設定許可部と、を備え、
前記生命保険用端末は、
前記ネットワークを介して前記健康診断情報データサーバに、前記ユーザの健診結果の取得要求を送信する健診結果要求部と、
前記ネットワークを介して前記健康診断情報データサーバから、当該ユーザの健診結果を、ダウンロードにより取得する健診結果取得部と、
を備えることを特徴とする健診結果ダウンロードシステム。
【請求項２】
前記設定許可部は、
予め前記ユーザの健診結果をダウンロード可能に設定し、
前記健診結果取得部は、
前記ネットワークを介して前記健康診断情報データサーバから、当該ユーザの健診結果を自動的にダウンロードにより取得する
ことを特徴とする請求項１に記載の健診結果ダウンロードシステム。
【請求項３】
前記健康診断情報データサーバは、
前記健診結果の取得要求に対し、前記ユーザの健診結果を前記ダウンロード可能に設定する旨の承認情報を取得する承認情報取得部を、さらに備え、
前記設定許可部は、
前記健診結果の取得要求に対し、前記ユーザが有する端末から前記承認情報を取得した場合、格納する前記ユーザの健診結果をダウンロード可能に設定する
ことを特徴とする請求項１または２に記載の健診結果ダウンロードシステム。
【請求項４】
前記生命保険用端末は、
前記健診結果取得部において取得した前記ユーザの健診結果を表示するディスプレイを、さらに備える
ことを特徴とする請求項１乃至３の何れかに記載の健診結果ダウンロードシステム。
【請求項５】
前記ディスプレイは、
同一ユーザの複数の前記健診結果を表示する
ことを特徴とする請求項４に記載の健診結果ダウンロードシステム。
【発明の詳細な説明】
【技術分野】
【０００１】
本発明は、健診結果ダウンロードシステムに関する。
【背景技術】
【０００２】
近年、ユーザ（利用者）の将来の保障として生命保険に加入するニーズが高まっている。また、ユーザが生命保険に加入する際、生命保険業を運営する生命保険会社は、ユーザの健康状態を基に、生命保険の加入の可否や保険料の算出を行っている。
【０００３】
ユーザの健康状態は、客観的な判断材料として健康診断結果が利用されており、ユーザは、健康診断結果（単に健診結果とも呼ばれる。）の提出が求められる。一方、健康診断結果は、受診者本人が、紙ベースでの結果表を所有するほかに、所属する健康保険組合と受診先である医療機関により、一般的にはそれぞれの管理方法にて、登録・保管されている。
【０００４】
そのため、生命保険会社は、ユーザから提出される健康診断結果の写しを入手した後、その健康診断結果に基づいてユーザの加入の可否や保険料を算出していた。
【０００５】
ここで、生命保険の販売支援に関するものとして、特許文献１には、保険商品の販売を支援する生命保険販売支援システムが開示されている。この生命保険販売支援システムは、加入者の年齢及び加入者が選択した保険内容を入力する第１のデータ入力部と、加入者の年齢及び加入者が選択した保険内容に基づいて、生命保険に加入する際に必要な検査項目を決定する検査項目決定部と、検査項目決定部において決定された項目を入力する第２のデータ入力部と、生命保険の引き受け査定の目安を判定する査定結果判定部とを有している。
【０００６】
この生命保険販売支援システムでは、第２のデータ入力部に、健康診断書の種類と対応する項目を入力し、査定結果判定部は、第２のデータ入力部に入力されたデータに基づいて、生命保険の査定結果を判定する(特許文献１参照)。
【先行技術文献】
【特許文献】
【０００７】
【特許文献１】特開２００３−３３１１２７号公報
【発明の概要】
【発明が解決しようとする課題】
【０００８】
従来から、生命保険の加入に当たり、健康診断結果が必要であり、ユーザは、本人が所持している健康診断書を生命保険会社に提供したり、医療機関、健康保険組合あるいは、事業主の人事部より健康診断結果を取得して、生命保険会社に提供していた。このため、生命保険の加入を希望するユーザは、健康診断書等を取得する手間が生じていた。
【０００９】
本発明の目的は、ユーザの健診結果を電子情報として管理・保管し、生命保険会社が直接取得して活用する、健診結果ダウンロードシステムを提供することにある。
【課題を解決するための手段】
【００１０】
本発明に係る健診結果ダウンロードシステムは、ユーザの健診結果を格納する健康診断情報データサーバと、健診結果を取得する生命保険用端末と、を備える健診結果ダウンロードシステムであって、前記健康診断情報データサーバは、ネットワークを介して前記生命保険用端末から、ユーザの健診結果の取得要求を受け付ける健診結果要求受付部と、前記健診結果の取得要求に対し、格納する前記ユーザの健診結果をダウンロード可能に設定する設定許可部と、を備え、前記生命保険用端末は、前記ネットワークを介して前記健康診断情報データサーバに、前記ユーザの健診結果の取得要求を送信する健診結果要求部と、前記ネットワークを介して前記健康診断情報データサーバから、当該ユーザの健診結果を、ダウンロードにより取得する健診結果取得部と、を備えることを特徴とする。
【発明の効果】
【００１１】
本発明によれば、健診結果ダウンロードシステムは、ユーザの健診結果を電子情報として管理・保管し、生命保険会社が直接取得して活用することができる。
【図面の簡単な説明】
【００１２】
【図１】本発明の実施形態に係る健診結果ダウンロードシステムの概略の構成を示した説明図である。
【図２】本発明の実施形態に係る健診結果ダウンロードシステムにおいて、健康診断実施機関が利用者端末を操作して、健康診断情報データサーバに健診結果を登録し、その後、生命保険会社のオペレータが生命保険用端末を操作して、健診結果を取得するまでの概略動作を示したシーケンス図である。
【図３】本発明の実施形態に係る生命保険用端末の構成を示したものであり、（ａ）では、ハードウエア構成を示し、（ｂ）では、処理回路の機能ブロック図を示したものである。
【図４】本発明の実施形態に係る健康診断情報データサーバの構成を示したものであり、（ａ）では、ハードウエア構成を示し、（ｂ）では、処理回路の機能ブロック図を示したものである。
【図５】本発明の実施形態に係る生命保険用端末が、健康診断情報データサーバとの間で、ユーザの健診結果を取得する処理を示したフローチャートである。
【図６】本発明の実施形態に係る生命保険用端末のディスプレイに、ユーザの健診結果を表示させた場合の表示画面例であり、（ａ）では、ユーザの健康状態が前回結果に対して改善した場合の表示例を示しており、（ｂ）では、ユーザの健康状態が前回結果に対して悪化した場合の表示例を示している。
【図７】本発明の実施形態に係る健康診断情報データサーバが、利用者端末との間で、ユーザの健診結果をダウンロード可能に設定する旨の承認情報を取得する処理を示したフローチャートである。
【発明を実施するための形態】
【００１３】
以下、本発明の実施形態について、図面を用いて説明する。図１は、本発明の実施形態に係る健診結果ダウンロードシステム５００の概略の構成を示した説明図である。図１に示すように、健診結果ダウンロードシステム５００は、利用者端末１００と、健康診断情報データサーバ２００と、生命保険用端末３００と、ネットワーク４００と、を備えている。
【００１４】
利用者端末１００は、生命保険の加入を希望するユーザの健診結果を、健康診断実施機関が健康診断情報データサーバ２００に登録する情報処理端末である。利用者端末１００は、ネットワーク４００を介して健康診断情報データサーバ２００に、ユーザの健診結果を登録する。ユーザ又は健康診断実施機関が利用する利用者端末１００は、例えば、生命保険用端末３００からの健診結果の送信依頼に対し、健康診断情報データサーバ２００から取得する旨の回答や健康診断情報データサーバ２００から健診結果のダウンロードの承認依頼を受け付けて、ユーザの健診結果のダウンロードを可能とする旨の承認情報を送信する。なお、健康診断実施機関には、健診機関、健康保険組合、事業会社、代行機関登録会社などが含まれるものとする。また、利用者端末１００は、健診機関、健康保険組合、事業会社、代行機関登録会社などが、主として紙媒体から登録するものとする。
【００１５】
健康診断情報データサーバ２００は、ユーザの健診結果を登録する情報処理装置である。健康診断情報データサーバ２００は、複数のユーザの健診結果を格納し得るように、後述する健診結果データベース２６０を備えている。健康診断情報データサーバ２００は、生命保険用端末３００からユーザの健診結果の取得要求を受け付けて、例えば、健康診断実施機関としての利用者端末１００から承認情報を取得した場合、そのユーザの健診結果をダウンロード可能に設定する。
【００１６】
生命保険用端末３００は、ユーザが希望する生命保険加入プランに必要な検査項目を表示する情報処理端末である。生命保険用端末３００は、生命保険会社のオペレータの操作により、健康診断情報データサーバ２００にユーザの健診結果の取得要求を送信する。その後、健康診断実施機関としての利用者端末１００から、健康診断情報データサーバ２００にダウンロードを承認する旨の承認情報が送信された場合、生命保険用端末３００は、健康診断情報データサーバ２００から、ダウンロード可能に設定された健診結果をダウンロードする。
【００１７】
ネットワーク４００は、接続されている各装置を相互に接続する機能を有している。例えば、健康診断実施機関としての利用者端末１００は、ネットワーク４００を介して健康診断情報データサーバ２００に健診結果を登録したり、健康診断情報データサーバ２００からの健診結果のダウンロードを可能とする承認依頼に対し、承認する旨の承認情報を送信することができる。
【００１８】
次に、本発明の実施形態に係る健診結果ダウンロードシステム５００の全体動作について説明する。図２は、本発明の実施形態に係る健診結果ダウンロードシステム５００において、健康診断実施機関が利用者端末１００を操作して、健康診断情報データサーバ２００に健診結果を登録し、その後、生命保険会社のオペレータが生命保険用端末３００を操作して、健診結果を取得するまでの概略動作を示したシーケンス図である。
【００１９】
まず、健康診断実施機関が利用者端末１００を操作し、ネットワーク４００を介して健康診断情報データサーバ２００に、ユーザの健診結果を登録する（シーケンスＳＴ００１）。この場合、登録された健診結果の内容は、例えば、健康保険組合と提携する医療機関において、ユーザが直近に受けた定期健診の健診結果とする。そして、健康診断情報データサーバ２００は、ユーザの健診結果が登録された旨を、ネットワーク４００を介して、ユーザ又は健康診断実施機関としての利用者端末１００に通知する（シーケンスＳＴ００３）。
【００２０】
なお、健康診断情報データサーバ２００は、健診結果を登録する際、その健診結果について、予めダウンロード可能に設定するか、又は、健診結果の取得要求に対して、随時、承認することを選択して登録するか、選択して登録することができる。図２では、生命保険用端末３００からのユーザの健診結果の取得要求に対し、随時、承認する旨の承認情報を送信する場合について説明し、予めダウンロード可能に設定した場合の動作については、後述する図５のフローチャートを用いて説明する。
【００２１】
次に、ユーザの生命保険の加入の希望により、例えば、生命保険会社のオペレータが、生命保険用端末３００を操作して、生命保険用端末３００は、ネットワーク４００を介して利用者端末１００に、そのユーザの健診結果の送信依頼を電子メールで送信する（シーケンスＳＴ００５）。
【００２２】
予めダウンロード可能に設定している場合は取得要求に応じて、生命保険用端末３００に健診結果が送信され、同時に送信した旨をユーザに電子メールで通知する。また、随時承認の場合、あるいは、生命保険用端末３００から依頼が届いた時は、ネットワーク４００からユーザに承認依頼メールが送信される。ユーザは、利用者端末１００で、承認するか、または不承認を選択して登録する。利用者端末１００は、承認するか不承認を、ネットワーク４００を介して、電子メールにより生命保険用端末３００に送信する（シーケンスＳＴ００７）。
【００２３】
ここまでの処理は、本発明の実施形態において、生命保険会社のオペレータが、健康診断情報データサーバ２００に、ユーザの健診結果を要求するための前段階となっている。
【００２４】
次に、生命保険用端末３００は、ネットワーク４００を介して健康診断情報データサーバ２００に、ユーザの健診結果の取得要求を送信する（シーケンスＳＴ００９）。そして、健康診断情報データサーバ２００は、ネットワーク４００を介して利用者端末１００に、生命保険会社からユーザの健診結果の取得要求があった旨を通知する（シーケンスＳＴ０１１）。
【００２５】
利用者端末１００は、ユーザ又は健康診断実施機関の操作により、ネットワーク４００を介して健康診断情報データサーバ２００に、健診結果の取得要求を承認する旨の承認情報を送信する（シーケンスＳＴ０１３）。健康診断情報データサーバ２００は、そのユーザの健診結果をダウンロード可能に設定し、その後、生命保険用端末３００は、ネットワーク４００を介して健康診断情報データサーバ２００から、そのユーザの健診結果をダウンロードにより取得する（シーケンスＳＴ０１５）。
【００２６】
なお、健康診断情報データサーバ２００が、ネットワーク４００を介して利用者端末１００から、健診結果の取得要求を承認する旨の承認情報を取得する処理については、後述する図７のフローチャートを用いて詳述する。
【００２７】
次に、本発明の実施形態に係る生命保険用端末３００の詳細な構成について説明する。図３は、本発明の実施形態に係る生命保険用端末３００の構成を示したものであり、図３（ａ）では、ハードウエア構成を示し、図３（ｂ）では、処理回路３１０の機能ブロック図を示したものである。
【００２８】
図３（ａ）に示すように、生命保険用端末３００は、処理回路３１０、記憶回路３２０、入力回路３３０、ディスプレイ３４０、通信制御部３５０、及び内部バス３６０を備えている。
【００２９】
記憶回路３２０は、ＲＯＭ（Read Only Memory）、ＲＡＭ（Random Access Memory）及びＨＤＤ（Hard Disk Drive）等を含む記憶装置により構成されている。記憶回路３２０は、ＩＰＬ（Initial Program Loading）、ＢＩＯＳ（Basic Input／Output System）及びデータを記憶したり、処理回路３１０のワークメモリとして使用されたり、又は、データを一時的に記憶する場合に用いられる。ＨＤＤは、生命保険用端末３００にインストールされたプログラム（アプリケーションプログラムの他、ＯＳ（Operating System）等も含まれる）やデータを記憶する記憶装置である。また、オペレータに対するディスプレイ３４０への情報の表示にグラフィックを多用し、基礎的な操作を入力回路３３０によって行なうことができるＧＵＩ（Graphical User Interface）を、ＯＳに提供することもできる。
【００３０】
処理回路３１０は、プログラムをメモリ（記憶回路３２０）から読み出し、実行することにより、プログラムに対応する機能を実現するプロセッサである。具体的には、処理回路３１０（プロセッサ）は、読み出したプログラムを実行することによって、図３（ｂ）に示す、健診結果要求部３１１、健診結果取得部３１３、及び結果送信部３１７を実現する。
【００３１】
処理回路３１０の健診結果要求部３１１は、ネットワーク４００を介して健康診断情報データサーバ２００に、ユーザの健診結果の取得要求を送信する。処理回路３１０の健診結果取得部３１３は、ネットワーク４００を介して健康診断情報データサーバ２００から、そのユーザの健診結果をダウンロードにより取得する。処理回路３１０の結果送信部３１７は、ユーザの健診結果を取得した旨を、ネットワーク４００を介して利用者端末１００に送信する。
【００３２】
なお、健診結果取得部３１３と結果送信部３１７は、後述する通信制御部３５０と連携し、ユーザの健診結果を取得したり、健診結果を取得した旨を送信する。
【００３３】
入力回路３３０は、オペレータによって操作が可能なポインティングデバイス（マウスなど）やキーボードなどの入力デバイスからの信号を入力する回路であり、ここでは入力デバイス自体も入力回路３３０に含まれるものとする。この場合、操作に従った入力信号が、入力回路３３０から処理回路３１０に送られる。
【００３４】
ディスプレイ３４０は、液晶ディスプレイやＣＲＴ（Cathode Ray Tube）等によって構成される。ディスプレイ３４０は、処理回路３１０の健診結果取得部３１３において、ネットワーク４００を介して健康診断情報データサーバ２００からダウンロードにより取得したユーザの健診結果を表示する。
【００３５】
通信制御部３５０は、通信規格に応じた通信制御を行ない、例えば、ＩＥＥＥ８０２．１１シリーズに準拠した無線ＬＡＮ（Local Area Network）、近距離無線通信又は電話回線等を通じて、生命保険用端末３００を、ネットワーク４００に接続する機能を有している。また、例えば、ＲＳ−２３２ＣやＲＳ−４２２Ａなどの通信規格や、ＵＳＢ（Universal Serial Bus）などの標準化された通信プロトコルも用いることができ、本発明の実施形態では、有線接続であっても無線接続であっても適用できる。これにより、生命保険用端末３００は、ネットワーク４００を介して健康診断情報データサーバ２００に接続することができる。
【００３６】
内部バス３６０は、処理回路３１０によって生命保険用端末３００が統括制御されるように、各構成要素に接続されている。
【００３７】
次に、本発明の実施形態に係る健康診断情報データサーバ２００の詳細な構成について説明する。図４は、本発明の実施形態に係る健康診断情報データサーバ２００の構成を示したものであり、図４（ａ）では、ハードウエア構成を示し、図４（ｂ）では、処理回路２１０の機能ブロック図を示したものである。
【００３８】
図４（ａ）に示すように、健康診断情報データサーバ２００は、処理回路２１０、記憶回路２２０、入力回路２３０、ディスプレイ２４０、通信制御部２５０、健診結果データベース２６０、及び内部バス２７０を備えている。
【００３９】
記憶回路２２０は、ＲＯＭ、ＲＡＭ及びＨＤＤ等を含む記憶装置により構成されている。記憶回路２２０は、ＩＰＬ、ＢＩＯＳ及びデータを記憶したり、処理回路２１０のワークメモリとして使用されたり、又は、データを一時的に記憶する場合に用いられる。ＨＤＤは、健康診断情報データサーバ２００にインストールされたプログラム（アプリケーションプログラムの他、ＯＳ等も含まれる）やデータを記憶する記憶装置である。
【００４０】
処理回路２１０は、プログラムをメモリ（記憶回路２２０）から読み出し、実行することにより、プログラムに対応する機能を実現するプロセッサである。具体的には、処理回路２１０（プロセッサ）は、読み出したプログラムを実行することによって、図４（ｂ）に示す、健診結果要求受付部２１１、設定許可部２１３、及び承認情報取得部２１５を実現する。
【００４１】
健診結果データベース２６０は、ユーザごとの健診結果を格納している。健診結果データベース２６０は、例えば、ＲＯＭ、ＲＡＭ及びＨＤＤ等を含む記憶装置によって構成される。
【００４２】
処理回路２１０の健診結果要求受付部２１１は、ネットワーク４００を介して生命保険用端末３００から、ユーザの健診結果の取得要求を受け付ける。処理回路２１０の設定許可部２１３は、ネットワーク４００を介して利用者端末１００に、ユーザの健診結果の取得要求を送信する。処理回路２１０の承認情報取得部２１５は、健診結果の取得要求に対し、健康診断実施機関が有する利用者端末１００から、ユーザの健診結果をダウンロード可能に設定する旨の承認情報を取得すると、設定許可部２１３は、格納するユーザの健診結果をダウンロード可能に設定する。この場合、設定許可部２１３は、健診結果データベース２６０に格納されているユーザの健診結果をダウンロード可能に設定するとともに、ネットワーク４００を介して生命保険用端末３００に、ユーザの健診結果がダウンロード可能に設定された旨を通知する。
【００４３】
なお、健診結果要求受付部２１１、設定許可部２１３、及び承認情報取得部２１５は、後述する通信制御部２５０と連携し、ユーザの健診結果や承認情報などを送受信する。
【００４４】
入力回路２３０は、操作者によって操作が可能なポインティングデバイス（マウスなど）やキーボードなどの入力デバイスからの信号を入力する回路であり、ここでは入力デバイス自体も入力回路２３０に含まれるものとする。この場合、操作に従った入力信号が、入力回路２３０から処理回路２１０に送られる。
【００４５】
ディスプレイ２４０は、液晶ディスプレイやＣＲＴ等によって構成される。ディスプレイ２４０は、処理回路２１０の設定許可部２１３においてダウンロード可能に設定されたユーザの健診結果を表示する。
【００４６】
通信制御部２５０は、通信規格に応じた通信制御を行ない、例えば、ＩＥＥＥ８０２．１１シリーズに準拠した無線ＬＡＮ（Local Area Network）、近距離無線通信又は電話回線等を通じて、健康診断情報データサーバ２００を、ネットワーク４００に接続する機能を有している。また、例えば、ＲＳ−２３２ＣやＲＳ−４２２Ａなどの通信規格や、ＵＳＢ（Universal Serial Bus）などの標準化された通信プロトコルも用いることができ、本発明の実施形態では、有線接続であっても無線接続であっても適用できる。これにより、健康診断情報データサーバ２００は、ネットワーク４００を介して、利用者端末１００や生命保険用端末３００と接続することができる。
【００４７】
内部バス２７０は、処理回路２１０によって健康診断情報データサーバ２００が統括制御されるように、各構成要素に接続されている。
【００４８】
（健診結果取得処理）
次に、本発明の実施の形態に係る健診結果ダウンロードシステム５００において、生命保険用端末３００が、ユーザの健診結果を取得する処理について、図５に示すフローチャートを用いて説明する。
【００４９】
図５は、本発明の実施形態に係る生命保険用端末３００が、健康診断情報データサーバ２００との間で、ユーザの健診結果を取得する処理を示したフローチャートである。
【００５０】
なお、本発明の実施形態では、健康診断情報データサーバ２００にユーザの健診結果を登録する際（図２のシーケンスＳＴ００１）、その健診結果を予めダウンロード可能に設定することができる。そのため、図５のフローチャートでは、ユーザの健診結果が健康診断情報データサーバ２００に登録されたときに、予めダウンロード可能に設定されている否かの判定を行うようになっている。
【００５１】
まず、本発明の実施形態の生命保険用端末３００の処理回路３１０の健診結果要求部３１１は、ネットワーク４００を介して健康診断情報データサーバ２００に、ユーザの健診結果の取得要求を送信する（ステップＳ００１、図２のシーケンスＳＴ００９参照）。
【００５２】
処理回路３１０の健診結果取得部３１３は、健康診断情報データサーバ２００において、そのユーザの健診結果が、予めダウンロード可能に設定されている場合（ステップＳ００３のＹ）、ネットワーク４００を介して健康診断情報データサーバ２００から、そのユーザの健診結果を自動的にダウンロードにより取得を開始する（ステップＳ００５、図２のシーケンスＳＴ０１５参照）。
【００５３】
一方、健診結果取得部３１３は、そのユーザの健診結果がダウンロード可能に設定されていない場合には（ステップＳ００３のＮ）、健診結果要求部３１１により健康診断情報データサーバ２００を介して利用者端末１００に、健診結果の承認依頼を通知する（ステップＳ００７、図２のシーケンスＳＴ０１１参照）。これにより、生命保険用端末３００は、健康診断情報データサーバ２００に対し、ユーザの健診結果をダウンロード可能に設定させることができる。
【００５４】
そして、処理回路３１０は、健診結果取得部３１３において、ユーザの健診結果を取得する（ステップＳ００９）。なお、処理回路３１０の健診結果取得部３１３は、同一ユーザの複数の健診結果がある場合には、その複数の健診結果を取得する。
【００５５】
ここで、複数の健診結果がある場合、その複数の健診結果をディスプレイ３４０に表示する。例えば、複数の健診結果の経年の傾向から、現在の健康状態が改善された具体例として、「Ｘ」様の健診結果に基づいて説明し、一方、現在の健康状態が悪化した具体例として、「Ｙ」様の健診結果に基づいて説明する。なお、「Ｘ」様と「Ｙ」様において、二人の前回の健診結果は同一とし、「Ｙ」様については、「Ｘ」様と異なる健診結果について説明する。なお、経年の健診結果は、要求がない場合、表示しない。
【００５６】
図６は、本発明の実施形態に係る生命保険用端末３００のディスプレイ３４０に、現在の健康状態を表示させた場合の表示画面例である。図６（ａ）では、前回の健診結果に対し、現在の健康状態が改善された「Ｘ」様の表示例を示しており、図６（ｂ）では、前回の健診結果に対し、現在の健康状態が悪化した「Ｙ」様の表示例を示している。なお、「Ｘ」様と「Ｙ」様は、共に、年齢「３５歳」、性別は男性とする。
【００５７】
図６（ａ）では、健康診断結果表ＨＥ１において、「検査項目」、「基準範囲」、「今回」、「前回」の欄を有している。「検査項目」の欄では、「身体計測」として、「身長」、「体重」、「ＢＭＩ」、「腹囲」が記載されている。「身体計測」の基準範囲は、「ＢＭＩ」が、１８．５〜２４．９[ｋｇ／ｍ２]に設定され、「腹囲」が、男は８５[ｃｍ]未満、女は９０[ｃｍ]未満に設定されている。
【００５８】
「今回」の欄では、今回の身体計測の測定結果を示しており、「身長」が、１７１．０[ｃｍ]、「体重」が、６６．７[ｋｇ]、「ＢＭＩ」が、２２．８、「腹囲」が、８３．６[ｃｍ]であることを示している。
【００５９】
また、「前回」の欄では、前回の身体計測の測定結果を示しており、「身長」が、１７０．８[ｃｍ]、「体重」が、６５．７[ｋｇ]、「ＢＭＩ」が、２２．５、「腹囲」が、８２．０[ｃｍ]であることを示している。
【００６０】
「肝機能」の検査項目については、「ＡＳＴ（ＧＯＴ）」、「ＡＬＴ（ＧＰＴ）」、「γ―ＧＴＰ」が検査項目となっている。「ＡＳＴ（ＧＯＴ）」と「ＡＬＴ（ＧＰＴ）」の基準範囲は、３０Ｕ／ｌ以下に設定されており、「γ―ＧＴＰ」の基準範囲は、５０Ｕ／ｌ以下に設定されている。
【００６１】
また、「今回」の検査結果は、「ＡＳＴ（ＧＯＴ）」が、「１８」、「ＡＬＴ（ＧＰＴ）」が、「１９」、「γ―ＧＴＰ」が、「４７」となっている。
【００６２】
一方、「前回」の欄では、前回の肝機能の検査結果を示しており、「ＡＳＴ（ＧＯＴ）」が、「１６」、「ＡＬＴ（ＧＰＴ）」が、「１５」、「γ―ＧＴＰ」が、「６０」となっている。
【００６３】
「脂質代謝」の検査項目については、「ＬＤＬコレステロール」、「ＨＤＬコレステロール」、「中性脂肪」が検査項目となっている。「ＬＤＬコレステロール」の基準範囲は、７０〜１３９[ｍｇ／ｄｌ]、「ＨＤＬコレステロール」の基準範囲は、４０[ｍｇ／ｄｌ]以上となっている。また、「中性脂肪」の基準範囲は、３０〜１４９[ｍｇ／ｄｌ]となっている。
【００６４】
「今回」の脂質代謝の検査結果は、「ＬＤＬコレステロール」が、１０５[ｍｇ／ｄｌ]、「ＨＤＬコレステロール」が、４９[ｍｇ／ｄｌ]、「中性脂肪」が、１０２[ｍｇ／ｄｌ]となっている。
【００６５】
一方、「前回」の欄では、前回の脂質代謝の検査結果を示しており、「ＬＤＬコレステロール」が、１３９[ｍｇ／ｄｌ]、「ＨＤＬコレステロール」が、５０[ｍｇ／ｄｌ]、「中性脂肪」が、１１７[ｍｇ／ｄｌ]となっている。
【００６６】
結果ＣＮ１の項目には、詳細表示ＤＰ１のボタンが設けられており、ユーザが詳細表示ＤＰ１をマウスで選択すると、「γ―ＧＴＰ」と、「ＬＤＬコレステロール」との値が改善された旨が、表示されるようになっている。
【００６７】
これに対し、図６（ｂ）では、前回の健診結果に対し、現在の健康状態が悪化した具合例として、「Ｙ」様の健診結果を示しており、「今回」の健診結果では、一部が悪化している。
【００６８】
健康診断結果表ＨＥ２において、「肝機能」と「脂質代謝」の結果が、「肝機能」の「γ―ＧＴＰ」が、「８１」となっており、また、「脂質代謝」の「ＬＤＬコレステロール」が、１４７[ｍｇ／ｄｌ]となっている。
【００６９】
結果ＣＮ２の項目には、詳細表示ＤＰ２のボタンが設けられており、ユーザが詳細表示ＤＰ２をマウスで選択すると、「γ―ＧＴＰ」と「ＬＤＬコレステロール」の値が悪化した旨が、表示されるようになっている。
【００７０】
（ダウンロード承認処理）
次に、本発明の実施の形態に係る健診結果ダウンロードシステム５００において、健康診断情報データサーバ２００が、利用者端末１００からユーザの健診結果をダウンロード可能に設定する旨の承認情報を取得する処理について、図７に示すフローチャートを用いて説明する。
【００７１】
図７は、本発明の実施形態に係る健康診断情報データサーバ２００が、図２に示した利用者端末１００との間で、ユーザの健診結果をダウンロード可能に設定する旨の承認情報を取得する処理を示したフローチャートである。
【００７２】
まず、本発明の実施形態の健康診断情報データサーバ２００の処理回路２１０の健診結果要求受付部２１１は、ネットワーク４００を介して生命保険用端末３００から、ユーザの健診結果の取得要求を受け付ける（ステップＳ１０１、図２のシーケンスＳＴ００９参照）。
【００７３】
次に、処理回路２１０の設定許可部２１３は、ネットワーク４００を介して利用者端末１００に、ユーザの健診結果の取得要求を送信する。設定許可部２１３が送信するユーザの健診結果の取得要求は、ユーザの健診結果をダウンロード可能に設定する旨の要求となっており、利用者端末１００に承認する旨の依頼を送信する（ステップＳ１０３）。
【００７４】
処理回路２１０の承認情報取得部２１５は、健診結果の取得要求に対し、利用者端末１００からユーザの健診結果をダウンロード可能に設定する旨の承認情報を取得した場合は（ステップＳ１０５のＹ）、処理回路２１０の設定許可部２１３は、健診結果の取得要求に対し、格納するユーザの健診結果をダウンロード可能に設定する(ステップＳ１０７)。
【００７５】
この場合、処理回路２１０の設定許可部２１３は、健診結果データベース２６０に格納されているユーザの健診結果をダウンロード可能に設定するとともに、ネットワーク４００を介して生命保険用端末３００に、ユーザの健診結果がダウンロード可能に設定された旨を通知する。生命保険用端末３００は、ダウンロード可能に設定された旨の通知を受信すると、ダウンロードを開始する。
【００７６】
一方、健康診断実施機関が有する利用者端末１００から承認情報が取得できない場合（ステップＳ１０５のＮ）、処理回路２１０の設定許可部２１３は、ネットワーク４００を介して利用者端末１００に、再び、ダウンロード可能に設定する承認依頼を送信する。
【００７７】
これにより、健康診断情報データサーバ２００は、健康診断実施機関の利用者端末１００に対し、ユーザの健診結果をダウンロード可能に設定する旨の承認情報を取得するまで、繰り返し、利用者端末１００に承認依頼を送信することができる。
【００７８】
以上説明したように、本発明の実施形態に係る健診結果ダウンロードシステム５００は、健康診断情報データサーバ２００が、ネットワーク４００を介して生命保険用端末３００から、ユーザの健診結果の取得要求を受け付ける。健康診断情報データサーバ２００は、ネットワーク４００を介して利用者端末１００から承認情報を取得することにより、又は登録時の設定により、ユーザの健診結果をダウンロード可能に設定する。生命保険用端末３００は、ネットワーク４００を介して健康診断情報データサーバ２００から、そのユーザの健診結果をダウンロードにより取得することができる。
【００７９】
これにより、本発明の実施形態の健診結果ダウンロードシステム５００は、ユーザの健診結果を電子情報として管理・保管し、生命保険会社が直接取得して活用することができる。
【００８０】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００８１】
例えば、本発明の実施形態では、生命保険用端末３００のディスプレイ３４０は、処理回路３１０の健診結果取得部３１３において取得したユーザの複数の健診結果を表示するようになっていた。この場合、例えば、直近のユーザの健診結果を、ハイライト表示するようにしてもよい。
【００８２】
また、本発明の実施形態では、図７のステップＳ１０５において、利用者端末１００から承認情報が取得できない場合は、処理回路２１０の設定許可部２１３は、ネットワーク４００を介して利用者端末１００に、再び、ダウンロード可能に設定する承認依頼を送信するようになっていたが、これに限定されるものではない。例えば、利用者端末１００は、ダウンロードを承認しない情報を送信し、健診結果のダウンロードを許可しないようにしてもよい。
【００８３】
また、本発明の実施形態では、図２において、生命保険用端末３００は、検索結果を、ネットワーク４００を介して健康診断実施機関の利用者端末１００に、通知するようになっていたが（図２のシーケンスＳＴ０１９）、これに限定されるものではない。例えば、生命保険用端末３００は、検索結果の通知先として生命保険の加入を希望するユーザ本人の端末に、直接通知してもよい。
【符号の説明】
【００８４】
１００    利用者端末                      ２００    健康診断情報データサーバ
２１０    処理回路                        ２１１    健診結果要求受付部
２１３    設定許可部                      ２１５    承認情報取得部
２２０    記憶回路                        ２３０    入力回路
２４０    ディスプレイ                    ２５０    通信制御部
２６０    健診結果データベース            ２７０    内部バス
３００    生命保険用端末                  ３１０    処理回路
３１１    健診結果要求部                  ３１３    健診結果取得部
３１７    結果送信部
３２０    記憶回路                        ３３０    入力回路
３４０    ディスプレイ                    ３５０    通信制御部
３６０    内部バス                        ４００    ネットワーク
５００    健診結果ダウンロードシステム
【図１】
2019046097.tif 000003
【図２】
2019046097.tif 000004
【図３】
2019046097.tif 000005
【図４】
2019046097.tif 000006
【図５】
2019046097.tif 000007
【図６】
2019046097.tif 000008
【図７】
2019046097.tif 000009